(57)【要約】【課題】  無線タグにファイルの情報を埋め込みプリント出力する場合、ステイプルに無線タグをつけることによって、出力紙全てに無線タグをつけなくてもすむ様な画像処理装置を提供する。【解決手段】（１）ステイプル針に無線タグチップを付加する。（２）ステイプル動作を行う前、あるいは行った後に、無線タグに情報を書き込む。（３）情報を書き込む箇所は、ステイプル動作を行う箇所で行う。【選択図】        図１
2006192850.tif 000002
【特許請求の範囲】
【請求項１】
用紙に画像を印字するためのプリント手段と、
プリント出力用紙をステイプルする手段を有する画像処理装置において、
無線タグチップが付属したステイプル針をステイプルすることを特徴とした画像処理装置。
【請求項２】
請求項１に記載の画像処理装置において、ステイプル動作を行う前に、ステイプルに付属した無線タグチップに情報を記憶することを特徴とした画像処理装置。
【請求項３】
請求項１に記載の画像処理装置において、ステイプル動作を行った後に、ステイプルに付属した無線タグチップに情報を記憶することを特徴とした画像処理装置。
【請求項４】
用紙に画像を印字するためのプリント手段と、
プリント出力用紙をステイプルする手段を有する画像処理装置において、
プリント出力された紙にステイプルをしたステイプル針に無線タグチップを付加することを特徴とした画像処理装置。
【発明の詳細な説明】
【技術分野】
【０００１】
本発明は、画像処理装置に関するものである。
【背景技術】
【０００２】
従来の画像処理装置では、出力する用紙に情報を埋め込むためには、透かし技術や、バーコード、ヘッダー／フッター印字などを用いていた（例えば、特許文献１参照。）。
【特許文献１】特開２０００−１０６６２４号公報
【発明の開示】
【発明が解決しようとする課題】
【０００３】
従来の方法では埋め込む情報量も小さく、あえて情報量を大きくしようとすると埋め込むために必要な面積も大きくなっていた。また、無線タグチップに情報を埋め込み、プリント出力紙に付加する方法も考えられているが、複数部をまとめて出力してステイプルする場合には、一枚一枚に無線タグチップを付加しなくてはならない。
【０００４】
本発明は、上述の問題点に着目してなされたものであって、無線タグにファイルの情報を埋め込みプリント出力する場合、ステイプルに無線タグをつけることによって、出力紙全てに無線タグをつけなくてもすむ様な画像処理装置を提供することを目的とする。
【課題を解決するための手段】
【０００５】
本発明では、下記の手段によって上記問題を解決する。
（１）ステイプル針に無線タグチップを付加する。
（２）ステイプル動作を行う前、あるいは行った後に、無線タグに情報を書き込む。
（３）情報を書き込む箇所は、ステイプル動作を行う箇所で行う。
【０００６】
すなわち、本発明は、用紙に画像を印字するためのプリント手段と、プリント出力用紙をステイプルする手段を有する画像処理装置において、無線タグチップが付属したステイプル針をステイプルすることを特徴とした画像処理装置である。
【発明の効果】
【０００７】
本発明によれば、複数の無線タグチップをプリント出力紙にあえてつけることなく、ステイプルを行うことによって、情報をプリント出力に付加することができる。
【発明を実施するための最良の形態】
【０００８】
以下本発明を実施するための最良の形態を、実施例により詳しく説明する。
【実施例】
【０００９】
〔画像形成装置の構成〕
図１〜図９を用いて画像形成装置の構成について説明する。
【００１０】
図１は画像形成装置におけるデータの流れを示したブロック図である。
【００１１】
画像読み取りを行うスキャナ部１０１とその画像データを画像処理するスキャナＩＰ部１０２、コア部１０６で画像信号を一時保存したり、経路を決定する。
【００１２】
次に、コア部１０６から出力された画像データは、プリンタＩＰ部１０７及び、ＰＷＭ部１０８を経由して画像形成を行うプリンタ部１０９に送られる。プリンタ部１０９でプリントアウトされたシートはフィニッシャ部１１０へ送り込まれ、シートの仕分け処理やシートの仕上げ処理が行われる。
【００１３】
〔スキャナ部１０１の構成〕
図２を用いてスキャナ部１０１の構成を説明する。２０１は原稿台ガラスであり、読み取られるべき原稿２０２が置かれる。原稿２０２は照明ランプ２０３により照射され、その反射光はミラー２０４、２０５、２０６を経て、レンズ２０７によりＣＣＤ２０８上に結像される。ミラー２０４、照明ランプ２０３を含む第１ミラーユニット２１０は速度ｖで移動し、ミラー２０５、２０６を含む第２ミラーユニット２１１は速度１／２ｖで移動することにより、原稿２０２の全面を走査する。第１ミラーユニット２１０及び第２ミラーユニット２１１はモータ２０９により駆動する。
【００１４】
〔スキャナＩＰ部１０２の構成〕
図３を用いてスキャナＩＰ部１０２について説明する。入力された光学的信号は、ＣＣＤセンサ２０８により電気信号に変換される。このＣＣＤセンサ２０８はＲＧＢ３ラインのカラーセンサであり、ＲＧＢそれぞれの画像信号としてＡ／Ｄ変換部３０１に入力される。ここでゲイン調整、オフセット調整をされた後、Ａ／Ｄコンバータで、各色信号毎に８ｂｉｔのデジタル画像信号Ｒ０，Ｇ０，Ｂ０に変換される。その後、３０２のシェーディング補正で色ごとに、基準白色板の読み取り信号を用いた、公知のシェーディング補正が施される。更に、ＣＣＤセンサ２０８の各色ラインセンサは、相互に所定の距離を隔てて配置されているため、ラインディレイ調整回路（ライン補間部）３０３において、副走査方向の空間的ずれが補正される。
【００１５】
次に、入力マスキング部３０４は、ＣＣＤセンサ２０８のＲ，Ｇ，Ｂフィルタの分光特性で決まる読取色空間を、ＮＴＳＣの標準色空間に変換する部分であり、ＣＣＤセンサ２０８の感度特性／照明ランプのスペクトル特性等の諸特性を考慮した装置固有の定数を用いた３×３のマトリックス演算を行い、入力された（Ｒ０，Ｇ０，Ｂ０）信号を標準的な（Ｒ，Ｇ，Ｂ）信号に変換する。
【００１６】
更に、輝度／濃度変換部（ＬＯＧ変換部）３０５はルックアップテーブル（ＬＵＴ）ＲＡＭにより、構成され、ＲＧＢの輝度信号がＣ１，Ｍ１，Ｙ１の濃度信号になるように変換される。
【００１７】
〔ＦＡＸ部１０３の構成〕
図４を用いてＦＡＸ部１０３について説明する。まず、受信時には、電話回線から来たデータをＮＣＵ部４０１で受け取り電圧の変換を行い、モデム部４０２の中の復調部４０４でＡ／Ｄ変換及び復調操作を行った後、伸張部４０６でラスタデータに展開する。一般にＦＡＸでの圧縮伸張にはランレングス法などが用いられる。ラスタデータに変換された画像は、メモリ部４０７に一時保管され、画像データに転送エラーがないことを確認後、コア部１０６へ送られる。
【００１８】
次に、送信時には、コア部よりやってきたラスタイメージの画像信号に対して、圧縮部４０５でランレングス法などの圧縮を施し、モデム部４０２内の変調部４０３にてＤ／Ａ変換及び変調操作を行った後、ＮＣＵ部４０１を介して電話回線へと送られる。
【００１９】
〔ＮＩＣ部１０４の構成〕
図５−１を用いてＮＩＣ部１０４について説明する。ネットワークに対してのインターフェイスの機能を持つのが、このＮＩＣ部１０４であり、例えば１０Ｂａｓｅ−Ｔ／１００Ｂａｓｅ−ＴＸなどのＥｔｈｅｒｎｅｔケーブルなどを利用して外部からの情報を入手したり、外部へ情報を流す役割を果たす。
【００２０】
外部より情報を入手する場合は、まず、トランス部５０１で電圧変換され、５０２のＬＡＮコントローラ部に送られる。ＬＡＮコントローラ部５０２は、その内部に第１バッファメモリ（不図示）を持っており、その情報が必要な情報か否かを判断した上で、第２バッファメモリ（不図示）に送った後、コア部１０６に信号を流す。
【００２１】
次に、外部に情報を提供する場合には、コア部１０６より送られてきたデータは、ＬＡＮコントローラ部５０２で必要な情報を付加して、トランス部５０１を経由してネットワークに接続される。
【００２２】
〔専用Ｉ／Ｆ部１０５の構成〕
また、専用Ｉ／Ｆ部１０５は、カラー画像形成装置とのインターフェイス部分でＣＭＹＫそれぞれ多値ビットがパラレルに送られているインターフェイスであり、４色ｘ８ｂｉｔの画像データと通信線からなる。もし、Ｅｔｈｅｒｎｅｔケーブルを利用して送信すると、カラー画像形成装置に見合ったスピードで出力できない点と、ネットワークに接続された他のデバイスのパフォーマンスも犠牲になる点からこのような専用のパラレルインターフェイスを用いている。
【００２３】
〔コア部１０６の構成〕
図５−２を用いてコア部１０６について説明する。コア部１０６のバスセレクタ部５１１は、画像形成装置の利用における、いわば交通整理の役割を担っている。すなわち、複写機能、ネットワークスキャン、ネットワークプリント、ファクシミリ送信／受信、あるいは、ディスプレイ表示など、各種機能に応じてバスの切り替えを行うところである。
【００２４】
以下に各機能を実行するためのパス切り替えパターンを示す。
・複写機能：スキャナ１０１→コア１０６→プリンタ１０９
・ネットワークスキャン：スキャナ１０１→コア１０６→ＮＩＣ部１０４
・ネットワークプリント：ＮＩＣ部１０４→コア１０６→プリンタ１０９
・ファクシミリ送信機能：スキャナ１０１→コア１０６→ＦＡＸ部１０３
・ファクシミリ受信機能：ＦＡＸ部１０３→コア１０６→プリンタ１０９
次に、バスセレクタ部５１１を出た画像データは、圧縮部５１２、ハードディスク（ＨＤＤ）などの大容量メモリからなるメモリ部５１３及び、伸張部５１４を介してプリンタ部１０９へ送られる。圧縮部５１２で用いられる圧縮方式は、ＪＰＥＧ，ＪＢＩＧ，ＺＩＰなど一般的なものを用いればよい。圧縮された画像データは、ジョブ毎に管理され、ファイル名、作成者、作成日時、ファイルサイズなどの付加データと一緒に格納される。
【００２５】
更に、ジョブの番号とパスワードを設けて、それらも一緒に格納すれば、パーソナルボックス機能をサポートすることができる。これは、データの一時保存や特定の人にしかプリントアウト（ＨＤＤからの読み出し）ができない様にするための機能である。記憶されているジョブのプリントアウトの指示が行われた場合には、パスワードによる認証を行った後にメモリ部５１３より呼び出し、画像伸張を行ってラスタイメージに戻してプリンタ部１０７に送られる。
【００２６】
〔プリンタＩＰ部１０７の構成〕
６０１は出力マスキング／ＵＣＲ回路部であり、Ｍ１，Ｃ１，Ｙ１信号を画像形成装置のトナー色であるＹ，Ｍ，Ｃ，Ｋ信号にマトリクス演算を用いて変換する部分であり、ＣＣＤセンサ２０８で読み込まれたＲＧＢ信号に基づいたＣ１，Ｍ１，Ｙ１，Ｋ１信号をトナーの分光分布特性に基づいたＣ，Ｍ，Ｙ，Ｋ信号に補正して出力する。
【００２７】
次に、ガンマ補正部６０２にて、トナーの色味諸特性を考慮したルックアップテーブル（ＬＵＴ）ＲＡＭを使って画像出力のためのＣ，Ｍ，Ｙ，Ｋデータに変換されて、空間フィルタ６０３では、シャープネスまたは、スムージングが施された後、画像信号はコア部１０６へと送られる。
【００２８】
〔ＰＷＭ部１０８の構成〕
図７によりＰＷＭ部１０８を説明する。プリンタＩＰ部１０７を出たイエロー（Ｙ）、マゼンタ（Ｍ）、シアン（Ｃ）、ブラック（Ｋ）の４色に色分解された画像データ（白黒画像形成装置の場合は、単色となる）はそれぞれのＰＷＭ部１０８を通ってそれぞれ画像形成される。７０１は三角波発生部、７０２は入力されるデジタル画像信号をアナログ信号に変換するＤ／Ａコンバータ（Ｄ／Ａ変換部）である。三角波発生部７０１からの信号（図７−２ａ）及びＤ／Ａコンバータ７０２からの信号（図７−２ｂ）は、コンパレータ７０３で大小比較されて、図７−２ｃのような信号となってレーザ駆動部７０４に送られ、ＣＭＹＫそれぞれが、ＣＭＹＫそれぞれのレーザ７０５でレーザビームに変換される。
【００２９】
そして、ポリゴンスキャナ８１３で、それぞれのレーザビームを走査して、それぞれの感光ドラム８１７，８２１，８２５，８２９に照射される。
【００３０】
〔プリンタ部１０９の構成〕
図８に、プリンタ部の概観図を示す。８１３は、ポリゴンミラーであり、４つの半導体レーザ７０５より発光された４本のレーザ光を受ける。その内の１本はミラー８１４、８１５、８１６をへて感光ドラム８１７を走査し、次の１本はミラー８１８、８１９、８２０をへて感光ドラム８２１を走査し、次の１本はミラー８２２、８２３、８２４をへて感光ドラム８２５を走査し、次の１本はミラー８２６、８２７、８２８をへて感光ドラム８２９を走査する。
【００３１】
一方、８３０はイエロー（Ｙ）のトナーを供給する現像器であり、レーザ光に従い、感光ドラム８１７上にイエローのトナー像を形成し、８３１はマゼンタ（Ｍ）のトナーを供給する現像器であり、レーザ光に従い、感光ドラム８２１上にマゼンタのトナー像を形成し、８３２はシアン（Ｃ）のトナーを供給する現像器であり、レーザ光に従い、感光ドラム８２５上にシアンのトナー像を形成し、８３３はブラック（Ｋ）のトナーを供給する現像器であり、レーザ光に従い、感光ドラム８２９上にマゼンタのトナー像を形成する。以上４色（Ｙ，Ｍ，Ｃ，Ｋ）のトナー像がシートに転写され、フルカラーの出力画像を得ることができる。更に上記構成に、淡色マゼンタ（Ｍ’）のトナーを供給する現像器および淡色シアン（Ｃ’）のトナーを供給する現像器を加えることにより、６色（Ｙ，Ｍ，Ｍ’，Ｃ，Ｃ’，Ｋ）のトナー像がシートに転写され、高画像品質の出力画像を得ることができる。
【００３２】
シートカセット８３４、８３５および、手差しトレイ８３６のいずれかより給紙されたシートは、レジストローラ８３７を経て、転写ベルト８３８上に吸着され、搬送される。給紙のタイミングと同期がとられて、予め感光ドラム８１７、８２１、８２５、８２９には各色のトナーが現像されており、シートの搬送とともに、トナーがシートに転写される。各色のトナーが転写されたシートは、分離され、搬送ベルト８３９により搬送され、定着器８４０によって、トナーがシートに定着される。定着器８４０を抜けたシートはフラッパ８５０により一旦下方向へ導かれてシートの後端がフラッパ８５０を抜けた後、スイッチバックさせて排出する。これによりフェイスダウン状態で排出され、先頭頁から順にプリントしたときに正しいページ順となる。
【００３３】
なお、４つの感光ドラム８１７、８２１、８２５、８２９は、距離ｄをおいて、等間隔に配置されており、搬送ベルト８３９により、シートは一定速度ｖで搬送されており、このタイミング同期がなされて、４つの半導体レーザ７０５は駆動される。
【００３４】
〔フィニッシャ部１０９の構成〕
図９に、フィニッシャ部の概観図を示す。プリンタ部１０９の定着部８４０を出たシートは、フィニッシャ部１０９に入る。フィニッシャ部１０９には、サンプルトレイ９０１及びスタックトレイ９０２があり、ジョブの種類や排出されるシートの枚数に応じて切り替えて排出される。
【００３５】
ソート方式には２通りあり、複数のビンを有して各ビンに振り分けるビンソート方式と、後述の電子ソート機能とビン（または、トレイ）を奥手前方向にシフトしてジョブ毎に出力シートを振り分けるシフトソート方式によりソーティングを行うことができる。電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００３６】
更に、スタックトレイ９０２に排出する場合には、シートが排出される前のシートをジョブ毎に蓄えておき、排出する直前にステイプラ９０５にてバインドすることも可能である。
【００３７】
そのほか、上記２つのトレイに至るまでに、紙をＺ字状に折るためのＺ折り機９０４、ファイル用の２つ（または３つ）の穴開けを行うパンチャ９０６があり、ジョブの種類に応じてそれぞれの処理を行う。
【００３８】
更に、サドルステッチャ９０７は、シートの中央部分を２ヶ所バインドした後に、シートの中央部分をローラに噛ませることによりシートを半折りし、週刊誌やパンフレットのようなブックレットを作成する処理を行う。サドルステッチャ９０７で製本されたシートは、ブックレットトレイ９０８に排出される。
【００３９】
また、インサータ９０３はトレイ９１０にセットされたシートをプリンタへ通さずにトレイ９０１、９０２、９０８のいずれかに送るためのものである。これによってフィニッシャ１０９に送り込まれるシートとシートの間にインサータ９０３にセットされたシートをインサート（中差し）することができる。インサータ９０３のトレイ９１０にはユーザによりフェイスアップの状態でセットされるものとし、ピックアップローラ９１１により最上部のシートから順に給送する。従って、インサータ９０３からのシートはそのままトレイ９０１、９０２へ搬送することによりフェイスダウン状態で排出される。サドルステッチャ９０７へ送るときには、一度パンチャ９０６側へ送り込んだ後スイッチバックさせて送り込むことによりフェースの向きを合わせる。
【００４０】
〔無線タグチップが付属したステイプルの説明〕
図１０は無線タグチップが付属したステイプルを示す図である。この無線タグチップ付属ステイプルは、ステイプラ９０５にてプリント出力紙にステイプルされる。無線タグチップに情報を書き込むのもステイプラ９０５部にて行われる。無線タグチップに書き込まれる情報はコア部１０６からステイプラ部９０５に送られる。
【図面の簡単な説明】
【００４１】
【図１】画像形成装置全体のブロック図
【図２】画像形成装置のスキャナ部を示す図
【図３】画像形成装置のＩＰ部のブロック図
【図４】画像形成装置のＦＡＸ部のブロック図
【図５】画像形成装置のＮＩＣ部、コア部のブロック図
【図６】画像形成装置のプリンタＩＰ部を示す図
【図７】画像形成装置のＰＷＭ部のブロック図
【図８】画像形成装置のプリンタ部を示す図
【図９】画像形成装置のフィニッシャ部を示す図
【図１０】無線タグチップ付きステイプルを示す図
【符号の説明】
【００４２】
１０１  スキャナ部
１０２  スキャナＩＰ部
１０３  ＦＡＸ部
１０４  ＮＩＣ部
１０５  Ｉ／Ｆ部
１０６  コア部
１０７  プリンタＩＰ部
１０８  ＰＷＭ部
１０９  プリンタ部
１１０  フィニッシャ部
【図１】
2006192850.tif 000003
【図２】
2006192850.tif 000004
【図３】
2006192850.tif 000005
【図４】
2006192850.tif 000006
【図５】
2006192850.tif 000007
【図６】
2006192850.tif 000008
【図７】
2006192850.tif 000009
【図８】
2006192850.tif 000010
【図９】
2006192850.tif 000011
【図１０】
2006192850.tif 000012